(57)【要約】【課題】コストを抑えつつ使用における多様化を実現するべくタッチコントロール入力モジュール及び該タッチコントロール入力モジュールを具有するハンドサイズの電子設備を提供する。【解決手段】保護層、感知層、座標演算ユニット、エンコーダ１４を含み、該保護層には該感知層上に貼設する内側面で、且つ複数の符号による識別区域が区画された外側面を具有し、該感知層は該外側面が受ける接触の位置を感知すると同時に該位置に対応したアナログシグナルを発生し、該座標演算ユニットが該アナログ座標シグナルを受けて、該アナログシグナルで座標インフォメーションを演算し、該エンコーダ１４で該座標インフォメーションを受信すると同時に該座標インフォメーションで各個所に位置する上述の識別区域内の符号に対応した入力シグナルを発生させる。【選択図】        図２
2005196605.tif 000002
【特許請求の範囲】
【請求項１】
ケースとタッチコントロール入力モジュールと、より構成されるタッチコントロール入力モジュールを具有するハンドサイズの電子設備において、
該ケース上に設けられる該タッチコントロール入力モジュールには、保護層、感知層、座標演算ユニット、エンコーダを含み、
前記保護層は該感知層上の内側面に貼設され、且つ、複数の符号が設けられた識別区域を具有する外側面が区画され、
前記感知層が該外側面のタッチを受けると該符号の位置に対応するアナログシグナルを発生し、
前記座標演算ユニットが該アナログシグナルを受信し、該アナログシグナルで座標インフォメーションを演算し、
前記エンコーダが該座標インフォメーションを受信すると同時に該座標インフォメーションで該個所に位置する上述の識別区域内の符号に対応した入力シグナルを発生することを特徴とするタッチコントロール入力モジュール及び該タッチコントロール入力モジュールを具有するハンドサイズの電子設備。
【請求項２】
前記タッチコントロール入力モジュールを具有する電子設備において、前記符号は皆異なる符号であることを特徴とする請求項１記載のタッチコントロール入力モジュール及び該タッチコントロール入力モジュールを具有するハンドサイズの電子設備。
【請求項３】
前記タッチコントロール入力モジュールは、更に前記エンコーダと電気的に連結されたモード制御ユニットを含み、
該モード制御ユニットは該エンコーダをプッシュボタン入力状態と手書き入力状態とに切り替えるべく制御し、前記エンコーダは前記座標インフォメーションを受信し、該座標インフォメーションにより各個所に位置する上述の識別区域内の符号に対応した入力シグナルを発生し、該手書き入力状態時には、該エンコーダは該座標インフォメーションを受信し、該座標インフォメーションにより移動インフォメーションに相対した入力シグナルを発生することを特徴とする請求項１記載のタッチコントロール入力モジュール及び該タッチコントロール入力モジュールを具有するハンドサイズの電子設備。
【請求項４】
前記タッチコントロール入力モジュールを具有するハンドサイズの電子設備において、
前記外側面には更に前記識別区域中の少なくとも二つの隣接する識別区域を含む指定区域ブロックが区画されており、一定の時間内に該エンコーダが受信する前記座標インフォメーションがそれぞれ順に該指定区域ブロック内の識別区域に対応すると、前記エンコーダが該指定区域ブロックに対応した入力シグナルを発生することを特徴とする請求項１記載のタッチコントロール入力モジュール及び該タッチコントロール入力モジュールを具有するハンドサイズの電子設備。
【請求項５】
前記タッチコントロール入力モジュールを具有するハンドサイズの電子設備において、
前記外側面には更に前記識別区域中のうち、一つの識別区域を含む指定区域ブロックが区画されており、一定の時間内に該エンコーダが受信する該座標インフォメーションがそれぞれ順に該指定区域ブロックに対応した垂直方向であるとき、該エンコーダは該指定区域ブロックに対応した入力シグナルを発生することを特徴とする請求項１記載のタッチコントロール入力モジュール及び該タッチコントロール入力モジュールを具有するハンドサイズの電子設備。
【請求項６】
前記タッチコントロール入力モジュールを具有する電子設備において、前記保護層は外側面が平面を呈していることを特徴とする請求項１記載のタッチコントロール入力モジュール及び該タッチコントロール入力モジュールを具有するハンドサイズの電子設備。
【請求項７】
前記タッチコントロール入力モジュールを具有する電子設備において、前記保護層は外側面が曲面を呈していることを特徴とする請求項１記載のタッチコントロール入力モジュール及び該タッチコントロール入力モジュールを具有するハンドサイズの電子設備。
【請求項８】
前記タッチコントロール入力モジュールを具有する電子設備において、前記符号は塗料を用い、平板印刷や凸版印刷、或いは凹版印刷等から選択された手段で、該外側面上にプリントされていることを特徴とする請求項１記載のタッチコントロール入力モジュール及び該タッチコントロール入力モジュールを具有するハンドサイズの電子設備。
【請求項９】
前記タッチコントロール入力モジュールを具有する電子設備において、前記塗料は燐光材料や蛍光材料等から選択された材料を使用することを特徴とする請求項８記載のタッチコントロール入力モジュール及び該タッチコントロール入力モジュールを具有するハンドサイズの電子設備。
【請求項１０】
前記タッチコントロール入力モジュールを具有する電子設備において、前記識別区域は塗料を用い、平板印刷や凸版印刷、或いは凹版印刷等から選択された手段で、該外側面上にプリントされていることを特徴とする請求項１記載のタッチコントロール入力モジュール及び該タッチコントロール入力モジュールを具有するハンドサイズの電子設備。
【請求項１１】
前記タッチコントロール入力モジュールを具有する電子設備において、該塗料は燐光材料や蛍光材料等から選択された材料を使用することを特徴とする請求項１０記載のタッチコントロール入力モジュール及び該タッチコントロール入力モジュールを具有するハンドサイズの電子設備。
【請求項１２】
前記タッチコントロール入力モジュールを具有する電子設備において、前記符号は前記外側面から前記内側面方向に延伸する複数の凹溝により、前記保護層上に区画されていることを特徴とする請求項１記載のタッチコントロール入力モジュール及び該タッチコントロール入力モジュールを具有するハンドサイズの電子設備。
【請求項１３】
前記タッチコントロール入力モジュールを具有する電子設備において、前記符号は前記外側面から内側面とは逆方向に延伸する複数の凸縁により、前記保護層上に区画されていることを特徴とする請求項１記載のタッチコントロール入力モジュール及び該タッチコントロール入力モジュールを具有するハンドサイズの電子設備。
【請求項１４】
前記タッチコントロール入力モジュールを具有する電子設備において、前記識別区域は前記外側面から内側面方向に延伸する複数の凹溝によって前記保護層上に区画されていることを特徴とする請求項１記載のタッチコントロール入力モジュール及び該タッチコントロール入力モジュールを具有するハンドサイズの電子設備。
【請求項１５】
前記タッチコントロール入力モジュールを具有する電子設備において、前記識別区域は前記外側面から内側面とは逆方向に延伸する複数の凸縁により前記保護層上に区画されていることを特徴とする請求項１記載のタッチコントロール入力モジュール及び該タッチコントロール入力モジュールを具有するハンドサイズの電子設備。
【請求項１６】
前記タッチコントロール入力モジュールには、保護層と感知層と座標演算ユニットとエンコーダとを含み、
複数の符号が設けられた識別区域を具有する外側面が区画されている前記保護層と、
該保護層の内側面上に貼設されており、且つ、該保護層の外側面のタッチを感知すると同時に該位置に対応したアナログシグナルを発生する前記感知層と、
該アナログシグナルを受信すると同時に、該アナログシグナルにより座標インフォメーションを演算する前記座標演算ユニットと、
該座標インフォメーションを受信し、該座標インフォメーションにより該個所に位置する上述の識別区域内の符号に対応した入力シグナルを発生する該エンコーダとを具有することを特徴とするタッチコントロール入力モジュール及び該タッチコントロール入力モジュールを具有するハンドサイズの電子設備。
【請求項１７】
前記タッチコントロール入力モジュールにおいて、前記符号は相互に異なるものであることを特徴とする請求項１６記載のタッチコントロール入力モジュール及び該タッチコントロール入力モジュールを具有するハンドサイズの電子設備。
【請求項１８】
前記タッチコントロール入力モジュールにおいて、更に前記エンコーダと電気的に連結されたモード制御ユニットを含み、該モード制御ユニットは該エンコーダをプッシュボタン入力状態と手書き入力状態との間でスイッチ動作を制御し、該プッシュボタン入力状態時には、該エンコーダは該座標インフォメーションを受信し、該座標インフォメーションにより各個所に位置する識別区域内の符号に対応する入力シグナルを発生し、また手書き入力状態時には、該エンコーダは該座標インフォメーションを受信し、該座標インフォメーションにより移動インフォメーションに相対する入力シグナルを発生することを特徴とする請求項１６記載のタッチコントロール入力モジュール及び該タッチコントロール入力モジュールを具有するハンドサイズの電子設備。
【請求項１９】
前記タッチコントロール入力モジュールにおいて、前記外側面には更に前記識別区域中の少なくとも二つの隣接する識別区域の指定区域ブロックを含み、一定の設定された時間内に該エンコーダの受信する該座標インフォメーションが、それぞれ順に該指定区域ブロック内の識別区域に対応し、該エンコーダが該指定区域ブロックに対応した入力シグナルを発生することを特徴とする請求項１６記載のタッチコントロール入力モジュール及び該タッチコントロール入力モジュールを具有するハンドサイズの電子設備。
【請求項２０】
前記タッチコントロール入力モジュールにおいて、前記外側面には更に該識別区域中の一つの識別区域に指定区域ブロックが区画され、一定の設定された時間内に該エンコーダの受信する該座標インフォメーションがそれぞれ該指定区域ブロックに対応した垂直方向であるとき、該エンコーダは該指定区域ブロックに対応した入力シグナルを発生することを特徴とする請求項１６記載のタッチコントロール入力モジュール及び該タッチコントロール入力モジュールを具有するハンドサイズの電子設備。
【請求項２１】
前記タッチコントロール入力モジュールにおいて、前記保護層の外側面は平面を呈していることを特徴とする請求項１６記載のタッチコントロール入力モジュール及び該タッチコントロール入力モジュールを具有するハンドサイズの電子設備。
【請求項２２】
前記タッチコントロール入力モジュールにおいて、前記保護層の外側面は曲面を呈していることを特徴とする請求項１６記載のタッチコントロール入力モジュール及び該タッチコントロール入力モジュールを具有するハンドサイズの電子設備。
【請求項２３】
前記タッチコントロール入力モジュールにおいて、前記符号は塗料を平板印刷や凸版印刷及び凹版印刷等より選択された手段により、前記外側面上にプリントされていることを特徴とする請求項１６記載のタッチコントロール入力モジュール及び該タッチコントロール入力モジュールを具有するハンドサイズの電子設備。
【請求項２４】
前記タッチコントロール入力モジュールにおいて、前記塗料は燐光材料及び蛍光材料などより選択された材料を使用することを特徴とする請求項２３記載のタッチコントロール入力モジュール及び該タッチコントロール入力モジュールを具有するハンドサイズの電子設備。
【請求項２５】
前記タッチコントロール入力モジュールにおいて、前記識別区域は塗料が平板印刷や凸版印刷及び凹版印刷などより選択された手段により、前記外側面にプリントされていることを特徴とする請求項１６記載のタッチコントロール入力モジュール及び該タッチコントロール入力モジュールを具有するハンドサイズの電子設備。
【請求項２６】
前記タッチコントロール入力モジュールを具有する電子設備において、前記塗料は燐光材料或いは蛍光材料などより選択された材料が使用されることを特徴とする請求項２５記載のタッチコントロール入力モジュール及び該タッチコントロール入力モジュールを具有するハンドサイズの電子設備。
【請求項２７】
前記タッチコントロール入力モジュールにおいて、前記符号は前記外側面から内側面方向に複数で延伸する凹溝により前記保護層上に区画されていることを特徴とする請求項１６記載のタッチコントロール入力モジュール及び該タッチコントロール入力モジュールを具有するハンドサイズの電子設備。
【請求項２８】
前記タッチコントロール入力モジュールにおいて、前記符号は外側面から内側面とは逆方向に複数で延伸凸縁により前記保護層上に区画されていることを特徴とする請求項１６記載のタッチコントロール入力モジュール及び該タッチコントロール入力モジュールを具有するハンドサイズの電子設備。
【請求項２９】
前記タッチコントロール入力モジュールにおいて、前記識別区域は前記外側面から内側面方向に複数で延伸する凹溝により前記保護層上に区画されていることを特徴とする請求項１６記載のタッチコントロール入力モジュール及び該タッチコントロール入力モジュールを具有するハンドサイズの電子設備。
【請求項３０】
前記タッチコントロール入力モジュールにおいて、前記識別区域は前記外側面から内側面とは逆方向に延伸する複数の凸縁により前記保護層上に区画されていることを特徴とする請求項１６記載のタッチコントロール入力モジュール及び該タッチコントロール入力モジュールを具有するハンドサイズの電子設備。
【発明の詳細な説明】
【技術分野】
【０００１】
本発明は入力モジュール及び該入力モジュールを具有するハンドサイズの電子設備に係り、特にタッチすることにより入力シグナルを発生するタッチコントロール入力モジュール及び該タッチコントロール入力モジュールを具有するハンドサイズの電子設備に関わる。
【背景技術】
【０００２】
電子製品（特に携帯型）における入力装置は、例えば特許文献１に開示されているように、現在に至るまで大部分が複数のプッシュボタンによるタイプであり、こういったプッシュボタンは技術が容易で単価も安いが、パーツの数量が多く構造が複雑であることにより組み立てなどにコストがかかってしまうことが欠点である。よって現在はタッチ方式を採用した入力装置が従来のプッシュボタンに取って代わろうとする時代にある。
ではタッチパネルを採用した携帯型の電子製品においては、主に手書き入力を実現するのを目的とし、これは一般のマウスにより入力される相対座標（relative coordinate）モードを利用したものであり、使用者がタッチすることにより前後の相対する位置間の距離、方向によってカーソルを移動させることで入力を行う技術である。PDA（Personal Data Assistant）や卓上型パソコンなどでも、既にタッチ方式での出入力装置が用いられており、実用性の高いものとなっている。
【特許文献１】特開平９−２８４３６９号公報
【発明の開示】
【発明が解決しようとする課題】
【０００３】
しかし上述のようなタッチ方式による出入力装置においては以下のような欠点がある。先ず透光性を具有する導電ガラスで製造しなければならないといった材料の面での制限であり、これが原因となってコストが高い、材質に選択の幅がないことなどが言える。また、出力装置によって該パネル上の図を投射しなければ入力された符合が判読されず、出力装置の電源を切って一般モードに切り替えてからでないと入力ができないこと、更には入力に時間がやや長いと電量の消耗が激しく、電子機器自身の寿命も短くなり易いことが言える。
上述のような従来のタッチパネルを更に実用的にするには、四角形を呈した平たい板状に限られており、曲線を具有するその他の形状に変えられないことから、電子製品のケース（外殻）の形状にも制限が生じて多様化できないといった問題、並びにリモコンやウォークマンなどといった製品に上述のような出力と入力機能を同時に兼ね備える機能を具有するタッチパネルを採用することは、これらの製品は本来安価な装置であり、且つ耐震性等が強くなければならないため、比較的高価なタッチパネルを設けるのに不適であるといった問題がある。
そこでこれらの欠点に鑑み、コストを抑えつつ使用における多様化を実現するべく本発明のタッチコントロール入力モジュール及び該タッチコントロール入力モジュールを具有するハンドサイズの電子設備を提供する。
【課題を解決するための手段】
【０００４】
主にケース及び該ケース上に設けたタッチコントロール入力モジュールより構成し、該タッチコントロール入力モジュールには保護層と感知層、座標演算ユニット並びにエンコーダを含み、該保護層には該感知層上に貼設した内側面を具有し、且つ複数の符号を具有する識別区域が区画された外側面を具有し、該感知層が該外側のタッチを受けることで該位置に対応しアナログシグナルを発生し、該座標演算ユニットが該アナログシグナルを受信すると該アナログシグナルによって座標インフォメーションを演算し、該エンコーダによって該座標インフォメーションを受信すると同時に、該座標インフォメーションで上述の識別区域内の符号に対応した入力シグナルを発生するようにすると同時に、電子設備の出力装置においても、タッチ式で入力シグナルを生じさせ、シグナル入力の目的を達成し、コストが低くて軽いといったメリットを具有する多様化されたモジュールである。
【０００５】
すなわち、前記課題を解決するために、請求項１の発明は、ケースとタッチコントロール入力モジュールと、より構成されるタッチコントロール入力モジュールを具有するハンドサイズの電子設備において、該ケース上に設けられる該タッチコントロール入力モジュールには、保護層、感知層、座標演算ユニット、エンコーダを含み、前記保護層は該感知層上の内側面に貼設され、且つ、複数の符号が設けられた識別区域を具有する外側面が区画され、前記感知層が該外側面のタッチを受けると該符号の位置に対応するアナログシグナルを発生し、前記座標演算ユニットが該アナログシグナルを受信し、該アナログシグナルで座標インフォメーションを演算し、前記エンコーダが該座標インフォメーションを受信すると同時に該座標インフォメーションで該個所に位置する上述の識別区域内の符号に対応した入力シグナルを発生することを特徴とするタッチコントロール入力モジュール及び該タッチコントロール入力モジュールを具有するハンドサイズの電子設備である。
【０００６】
請求項２の発明は、前記タッチコントロール入力モジュールを具有する電子設備において、前記符号は皆異なる符号であることを特徴とする請求項１記載のタッチコントロール入力モジュール及び該タッチコントロール入力モジュールを具有するハンドサイズの電子設備である。
請求項３の発明は、前記タッチコントロール入力モジュールは、更に前記エンコーダと電気的に連結されたモード制御ユニットを含み、
該モード制御ユニットは該エンコーダをプッシュボタン入力状態と手書き入力状態とに切り替えるべく制御し、前記エンコーダは前記座標インフォメーションを受信し、該座標インフォメーションにより各個所に位置する上述の識別区域内の符号に対応した入力シグナルを発生し、該手書き入力状態時には、該エンコーダは該座標インフォメーションを受信し、該座標インフォメーションにより移動インフォメーションに相対した入力シグナルを発生することを特徴とする請求項１記載のタッチコントロール入力モジュール及び該タッチコントロール入力モジュールを具有するハンドサイズの電子設備である。
請求項４の発明は、前記タッチコントロール入力モジュールを具有するハンドサイズの電子設備において、前記外側面には更に前記識別区域中の少なくとも二つの隣接する識別区域を含む指定区域ブロックが区画されており、一定の時間内に該エンコーダが受信する前記座標インフォメーションがそれぞれ順に該指定区域ブロック内の識別区域に対応すると、前記エンコーダが該指定区域ブロックに対応した入力シグナルを発生することを特徴とする請求項１記載のタッチコントロール入力モジュール及び該タッチコントロール入力モジュールを具有するハンドサイズの電子設備である。
請求項５の発明は、前記タッチコントロール入力モジュールを具有するハンドサイズの電子設備において、前記外側面には更に前記識別区域中のうち、一つの識別区域を含む指定区域ブロックが区画されており、一定の時間内に該エンコーダが受信する該座標インフォメーションがそれぞれ順に該指定区域ブロックに対応した垂直方向であるとき、該エンコーダは該指定区域ブロックに対応した入力シグナルを発生することを特徴とする請求項１記載のタッチコントロール入力モジュール及び該タッチコントロール入力モジュールを具有するハンドサイズの電子設備である。
請求項６の発明は、前記タッチコントロール入力モジュールを具有する電子設備において、前記保護層は外側面が平面を呈していることを特徴とする請求項１記載のタッチコントロール入力モジュール及び該タッチコントロール入力モジュールを具有するハンドサイズの電子設備である。
請求項７の発明は、前記タッチコントロール入力モジュールを具有する電子設備において、前記保護層は外側面が曲面を呈していることを特徴とする請求項１記載のタッチコントロール入力モジュール及び該タッチコントロール入力モジュールを具有するハンドサイズの電子設備である。
請求項８の発明は、前記タッチコントロール入力モジュールを具有する電子設備において、前記符号は塗料を用い、平板印刷や凸版印刷、或いは凹版印刷等から選択された手段で、該外側面上にプリントされていることを特徴とする請求項１記載のタッチコントロール入力モジュール及び該タッチコントロール入力モジュールを具有するハンドサイズの電子設備である。
請求項９の発明は、前記タッチコントロール入力モジュールを具有する電子設備において、前記塗料は燐光材料や蛍光材料等から選択された材料を使用することを特徴とする請求項８記載のタッチコントロール入力モジュール及び該タッチコントロール入力モジュールを具有するハンドサイズの電子設備である。
請求項１０の発明は、前記タッチコントロール入力モジュールを具有する電子設備において、前記識別区域は塗料を用い、平板印刷や凸版印刷、或いは凹版印刷等から選択された手段で、該外側面上にプリントされていることを特徴とする請求項１記載のタッチコントロール入力モジュール及び該タッチコントロール入力モジュールを具有するハンドサイズの電子設備である。
請求項１１の発明は、前記タッチコントロール入力モジュールを具有する電子設備において、該塗料は燐光材料や蛍光材料等から選択された材料を使用することを特徴とする請求項１０記載のタッチコントロール入力モジュール及び該タッチコントロール入力モジュールを具有するハンドサイズの電子設備である。
請求項１２の発明は、前記タッチコントロール入力モジュールを具有する電子設備において、前記符号は前記外側面から前記内側面方向に延伸する複数の凹溝により、前記保護層上に区画されていることを特徴とする請求項１記載のタッチコントロール入力モジュール及び該タッチコントロール入力モジュールを具有するハンドサイズの電子設備である。
請求項１３の発明は、前記タッチコントロール入力モジュールを具有する電子設備において、前記符号は前記外側面から内側面とは逆方向に延伸する複数の凸縁により、前記保護層上に区画されていることを特徴とする請求項１記載のタッチコントロール入力モジュール及び該タッチコントロール入力モジュールを具有するハンドサイズの電子設備である。
請求項１４の発明は、前記タッチコントロール入力モジュールを具有する電子設備において、前記識別区域は前記外側面から内側面方向に延伸する複数の凹溝によって前記保護層上に区画されていることを特徴とする請求項１記載のタッチコントロール入力モジュール及び該タッチコントロール入力モジュールを具有するハンドサイズの電子設備である。
請求項１５の発明は、前記タッチコントロール入力モジュールを具有する電子設備において、前記識別区域は前記外側面から内側面とは逆方向に延伸する複数の凸縁により前記保護層上に区画されていることを特徴とする請求項１記載のタッチコントロール入力モジュール及び該タッチコントロール入力モジュールを具有するハンドサイズの電子設備である。
【０００７】
請求項１６の発明は、前記タッチコントロール入力モジュールには、保護層と感知層と座標演算ユニットとエンコーダとを含み、複数の符号が設けられた識別区域を具有する外側面が区画されている前記保護層と、該保護層の内側面上に貼設されており、且つ、該保護層の外側面のタッチを感知すると同時に該位置に対応したアナログシグナルを発生する前記感知層と、該アナログシグナルを受信すると同時に、該アナログシグナルにより座標インフォメーションを演算する前記座標演算ユニットと、該座標インフォメーションを受信し、該座標インフォメーションにより該個所に位置する上述の識別区域内の符号に対応した入力シグナルを発生する該エンコーダとを具有することを特徴とするタッチコントロール入力モジュール及び該タッチコントロール入力モジュールを具有するハンドサイズの電子設備である。
【０００８】
請求項１７の発明は、前記タッチコントロール入力モジュールにおいて、前記符号は相互に異なるものであることを特徴とする請求項１６記載のタッチコントロール入力モジュール及び該タッチコントロール入力モジュールを具有するハンドサイズの電子設備である。
請求項１８の発明は、前記タッチコントロール入力モジュールにおいて、更に前記エンコーダと電気的に連結されたモード制御ユニットを含み、該モード制御ユニットは該エンコーダをプッシュボタン入力状態と手書き入力状態との間でスイッチ動作を制御し、該プッシュボタン入力状態時には、該エンコーダは該座標インフォメーションを受信し、該座標インフォメーションにより各個所に位置する識別区域内の符号に対応する入力シグナルを発生し、また手書き入力状態時には、該エンコーダは該座標インフォメーションを受信し、該座標インフォメーションにより移動インフォメーションに相対する入力シグナルを発生することを特徴とする請求項１６記載のタッチコントロール入力モジュール及び該タッチコントロール入力モジュールを具有するハンドサイズの電子設備である。
請求項１９の発明は、前記タッチコントロール入力モジュールにおいて、前記外側面には更に前記識別区域中の少なくとも二つの隣接する識別区域の指定区域ブロックを含み、一定の設定された時間内に該エンコーダの受信する該座標インフォメーションが、それぞれ順に該指定区域ブロック内の識別区域に対応し、該エンコーダが該指定区域ブロックに対応した入力シグナルを発生することを特徴とする請求項１６記載のタッチコントロール入力モジュール及び該タッチコントロール入力モジュールを具有するハンドサイズの電子設備である。
請求項２０の発明は、前記タッチコントロール入力モジュールにおいて、前記外側面には更に該識別区域中の一つの識別区域に指定区域ブロックが区画され、一定の設定された時間内に該エンコーダの受信する該座標インフォメーションがそれぞれ該指定区域ブロックに対応した垂直方向であるとき、該エンコーダは該指定区域ブロックに対応した入力シグナルを発生することを特徴とする請求項１６記載のタッチコントロール入力モジュール及び該タッチコントロール入力モジュールを具有するハンドサイズの電子設備である。
請求項２１の発明は、前記タッチコントロール入力モジュールにおいて、前記保護層の外側面は平面を呈していることを特徴とする請求項１６記載のタッチコントロール入力モジュール及び該タッチコントロール入力モジュールを具有するハンドサイズの電子設備である。
請求項２２の発明は、前記タッチコントロール入力モジュールにおいて、前記保護層の外側面は曲面を呈していることを特徴とする請求項１６記載のタッチコントロール入力モジュール及び該タッチコントロール入力モジュールを具有するハンドサイズの電子設備である。
請求項２３の発明は、前記タッチコントロール入力モジュールにおいて、前記符号は塗料を平板印刷や凸版印刷及び凹版印刷等より選択された手段により、前記外側面上にプリントされていることを特徴とする請求項１６記載のタッチコントロール入力モジュール及び該タッチコントロール入力モジュールを具有するハンドサイズの電子設備である。
請求項２４の発明は、前記タッチコントロール入力モジュールにおいて、前記塗料は燐光材料及び蛍光材料などより選択された材料を使用することを特徴とする請求項２３記載のタッチコントロール入力モジュール及び該タッチコントロール入力モジュールを具有するハンドサイズの電子設備である。
請求項２５の発明は、前記タッチコントロール入力モジュールにおいて、前記識別区域は塗料が平板印刷や凸版印刷及び凹版印刷などより選択された手段により、前記外側面にプリントされていることを特徴とする請求項１６記載のタッチコントロール入力モジュール及び該タッチコントロール入力モジュールを具有するハンドサイズの電子設備である。
請求項２６の発明は、前記タッチコントロール入力モジュールを具有する電子設備において、前記塗料は燐光材料或いは蛍光材料などより選択された材料が使用されることを特徴とする請求項２５記載のタッチコントロール入力モジュール及び該タッチコントロール入力モジュールを具有するハンドサイズの電子設備である。
請求項２７の発明は、前記タッチコントロール入力モジュールにおいて、前記符号は前記外側面から内側面方向に複数で延伸する凹溝により前記保護層上に区画されていることを特徴とする請求項１６記載のタッチコントロール入力モジュール及び該タッチコントロール入力モジュールを具有するハンドサイズの電子設備である。
請求項２８の発明は、前記タッチコントロール入力モジュールにおいて、前記符号は外側面から内側面とは逆方向に複数で延伸凸縁により前記保護層上に区画されていることを特徴とする請求項１６記載のタッチコントロール入力モジュール及び該タッチコントロール入力モジュールを具有するハンドサイズの電子設備である。
請求項２９の発明は、前記タッチコントロール入力モジュールにおいて、前記識別区域は前記外側面から内側面方向に複数で延伸する凹溝により前記保護層上に区画されていることを特徴とする請求項１６記載のタッチコントロール入力モジュール及び該タッチコントロール入力モジュールを具有するハンドサイズの電子設備である。
請求項３０の発明は、前記タッチコントロール入力モジュールにおいて、前記識別区域は前記外側面から内側面とは逆方向に延伸する複数の凸縁により前記保護層上に区画されていることを特徴とする請求項１６記載のタッチコントロール入力モジュール及び該タッチコントロール入力モジュールを具有するハンドサイズの電子設備である。
【発明の効果】
【０００９】
本発明によると、先ず製造面において、フィルム技術を利用してモジュール化されたタッチコントロール入力モジュールを実現し、従来のように金型を利用することで製造プロセスが大掛かりでコストがかかるプッシュボタンによる入力装置が具有する欠点を克服し、また、使用においては、全体が軽くて薄い、或いは符号等が直接該入力モジュールの外側面にプリントされていることで見やすい、更には使用する材質が制限を受けないことから該入力モジュールに合わせるケースのデザインにおける可能性が広がった等、外観が美しくなっただけでなく同時に実用性や構造の強さを高める等の効果を奏する。
【発明を実施するための最良の形態】
【００１０】
図１，２に示すように、本発明のタッチコントロール入力モジュール１の第一実施例では、ハンドサイズ電子設備２上に応用する。本実施例中では、該ハンドサイズの電子設備２を携帯電話としており、これには円弧面３１を具有するケース３を具有し、該ケース３上に設置されたタッチコントロール入力モジュール１、並びに該ケース３上に設けられたディスプレイ４を含み、該入力モジュール１及び該ディスプレイ４はホスト６に電気的に連結される。また該ケース３は更に該円弧面３１上に空洞区域３０が形成される。
【００１１】
前記タッチコントロール入力モジュール１には該ケース３に設けられた保護層１１及び該保護層１１に貼設する感知層１２、及び該感知層１２と電気的に連結される座標演算ユニット１３、並びに該座標演算ユニット１３と電気的に連結されるエンコーダ１４、更に該エンコーダ１４と電気的に連結されたモード制御ユニット１５を含む。
該保護層１１は該ケース３の該空洞区域３０の円弧面３１に設置されているものとする。また複数の符号５１を具有する識別区域５の外側面１１１、及び該外側面１１１の逆側には内側面１１２を具有する。本実施例中では、該保護層１１は撓性を具有するプラスティックを材質としており、且つ該外側面１１１は該ケース３の円弧面３１の曲面に合わせられた形状を呈しているものとし、該曲面を形成する目的としては、該ケース３の外形に合わせるためであり、実際はこれに限られず、もちろん該保護層１１の外側面１１１を平面として設計する、或いは必要に応じてその他の形状に設計しても機能上に差し支えない。
【００１２】
本実施例中では、上述の識別区域５を該ハンドサイズの電子設備２の電話機能に合わせるべく、該符号５１をそれぞれ異なるアラビア数字５１５が設けられた数字識別区域５５や、方向の異なる矢印５１６による方向識別区域５６、並びに受話器等の形状を模った機能５１７の符号による機能識別区域５７などに分ける。本実施例では、上述の識別区域５及び各該符号５１は、燐光材料の塗料を含む凹版印刷による該外側面１１１上にプリントされたものとするが、その他にも平板印刷や凸版印刷などによって該外側面１１１上にプリントされているものとしても構わない。またビジュアル上の効果を上げるべく、該塗料は蛍光材料を混合したものや、異なる色彩の顔料を使用する、或いは異なる光線照射や異なる温度の下で変化が現れる材料を使用するなど、上述の条件に限られないものとする。
また本実施例中では、該符号５１及び識別区域５は凹版印刷で該塗料を該外側面１１１上にプリントすることで、該符号５１及び識別区域５は複数で該外側面１１１より該内側面１１２とは逆方向に延伸する凸縁（図中なし）として該保護層１１上に区画されるものとするが、実際はこれに限られず、該保護層１１の材質を考慮した際、ヒートプレス成型或いはレーザーカッティングなどの加工方式を採用して該保護層１１上に該凸縁を形成してもよく、または同様の加工法により該符号５１は複数で該外側面１１１より該内側面１１２に向かって延伸する凹溝（図中なし）として該保護層１１上に区画されるようにしてもよい。
【００１３】
前記感知層１２においては、該保護層１１の該内側面１１２に貼設されており、且つ該外側面１１１がタッチされるのを受け、該タッチされた位置と相対するアナログシグナルが発生するようになっている。本実施例中では、該感知層１２はキャパシティブセンサの原理を利用しており、該感知層１２は配列された透明な電極（図中なし）と人体間の静電気とが結合して生ずる電量の変化により、発生する誘導電流によって該保護層１１のタッチされた位置を感知するようになっている。もちろん該感知層１２の感知方法においても、上述に限られるものではなく、その他の電気抵抗や波動、並びに電磁などの物理原理を利用した感知方式のものを該感知層１２に応用しても構わない。また該等原理を利用した技術においては、公知の技術から容易に考案できる部類に当たるため、詳細については敢えて述べない。
【００１４】
前記座標演算ユニット１３においては、該アナログシグナルを受信すると同時に該アナログシグナルで座標シグナルを演算し出し、該エンコーダ１４が該座標シグナルを受信する。該モード制御ユニット１５は該エンコーダ１４をプッシュボタン入力状態と手書き入力状態との二種類のモードに切り替えることができ、該プッシュボタン入力状態時には、該エンコーダ１４が該座標インフォメーションを受信すると該座標インフォメーションにより、それぞれ該位置に所在する識別区域５内の符号５１に対応する入力シグナルを生じる。手書き入力状態のときには、該エンコーダ１４が該座標シグナルを受信すると該座標インフォメーション中の一部の該座標インフォメーションが移動インフォメーションに相対する入力シグナルを発生する。
本実施例中では、該モード制御ユニット１５の初期設定値により、該エンコーダ１４の初期設定をプッシュボタン入力状態にするものであり、該エンコーダ１４を手書き入力状態に切り替えると、該数字識別区域５５の範囲内の座標インフォメーションが該エンコーダ１４によって移動インフォメーションに相対する入力シグナルが該ホスト６にまで伝送される。また座標演算ユニット１３やエンコーダ１４、及びモード制御ユニット１５などの機能においては、公知の技術でも知られているようにチップ（図中なし）の中に整合されているものとする。
【００１５】
上述したように、使用者が該ハンドサイズの電子設備２を使用する際には、例えば番号を入力する際など、先ず使用者が入力しようとする番号に応じ、標示されたアラビア数字５１５が標示された数字識別区域５５を指で直接押し、該感知層１２は該保護層１１外側面１１１が使用者に押されたのを受け、その位置に応じて該座標演算ユニット１３が該アナログシグナルによって該外側面１１１が受けた指でタッチされた位置の座標インフォメーションを演算し、該エンコーダ１４にまで伝送する。該エンコーダ１４は該座標インフォメーションに応じて演算処理を行い、タッチされた該数字識別区域５５内の符号５１５に対応する入力シグナルを発生し、これを該ホスト６内にまで伝送して該ホスト６で処理を行うと同時に、該ディスプレイ４上にて標示する。
【００１６】
また、使用者が手書きで文字や図を入力しようとする際には、該機能識別空域５７中の該モード制御ユニット１５として設計された機能識別区域５７を押すことで、上述の入力番号と類似するシグナル伝送方式により、該感知層１２が感知したアナログシグナルを該座標演算ユニット１３にまで伝送した後、該座標インフォメーションが該エンコーダ１４にまで伝送され、該エンコーダ１４によって演算された後、これに対応して切り替えコマンドを含む入力シグナルが該ホスト６に送られ、更に該ホスト６が処理した後に切り替えコマンドを含む機械語が該モジュール制御ユニット１５にまで送られ、該モジュール制御ユニット１５によって該エンコーダ１４を制御し、手書き入力状態に入る。このとき、使用者の指が該数字識別区域５５範囲内のタッチサインやルートは、皆該感知層１２を経て感知され、連続して変化するアナログシグナルが得られ、該座標演算ユニット１３に伝送されて連続する座標インフォメーションが演算され、該エンコーダ１４によって直接該ホスト６が読み取れる連続性相対座標シグナルとして該ホスト６内に入力されて処理が行われる。再度該タッチボタン入力状態に切り替えようとする際には、同様にして上述の方式で該手書き入力状態に切り替えるべく操作すればよい。
前記モード制御ユニット１５で該エンコーダ１４を切り替える方式は、上述の使用者の指で該機能識別区域５７のうちの一つをプッシュする方式により、スイッチシグナルが該ホスト６に入力されて該モード制御ユニット１５が切り替え動作命令を執行するのに限られず、該モード制御ユニット１５でも該座標演算ユニット１３から該エンコーダ１４に伝送される該座標インフォメーションにより、連続して横に跨る複数の識別区域５であるかを自動で判断すると同時に該エンコーダ１４の切り替え動作を行う。
【００１７】
また、上述以外にも、該タッチコントロール入力モジュール１には、該外側面１１１に該識別区域５中の少なくとも二つの隣接する識別区域５を含む指定区域ブロック５０が区画され、該指定区域ブロック５０の数は必要に応じて調整するものとする。本実施例では、該指定区域ブロック５０を該機能識別区域５７中で隣接する二つの機能識別区域５７と区画し、且つ上下にスクロールする機能が設定された場合にこれをスクロール指定区域ブロック５０１と呼ぶ。こうすることで、ある一定の時間内に該感知層１２と該座標演算ユニット１３の感知と演算処理後、該エンコーダ１４が受信した該座標インフォメーションがそれぞれ該スクロール指定区域ブロック５０１内の機能識別区域５７に対応するとき、該エンコーダ１４は該スクロール指定区域ブロック５０１に対応して入力シグナルを生じる、即ち上述のごとく、下向き或いは上向きにスクロールされる入力シグナルが生じるのである。
本実施例では、上述のある一定の時間を約1秒に設定し、こうすることで使用者が指で該スクロール指定区域ブロック５０１に触れると、約１秒という短時間内で、該ディスプレイ４に近隣する機能識別区域５７から、該ディスプレイ４より遠いもう一つの機能識別区域５７に向かって滑動し、該感知層１２と該座標演算ユニット１３の感知と演算処理を経た後の該座標インフォメーションが順に該ディスプレイ４に近隣する機能識別区域５７及び該ディスプレイ４より遠い機能識別区域５７に対応し、該エンコーダ１４は下向きの入力シグナルを生じ、該ホスト６にまで伝送され、下向きのスクロールで該ディスプレイ４上に標示される氏名や電話及びショートメッセージなどのインフォメーションを標示する。上向きのスクロールにより該ディスプレイ４にインフォメーションを標示する際も、原理は上述同様であり、使用者が指によって該ディスプレイ４から遠い該識別区域５７を該ディスプレイ４に近い側のもう一つの機能識別区域５７に向かって滑動させることができるようになっている。
【００１８】
本実施例におけるもう一つの使用形態においては、携帯電話である電子設備２には更に映像や動画を放映する機能を具有するため、これらの放映の際には右向きの矢印５１６の方向識別区域５６には正方向での再生機能が設定されており、左向きの矢印５１６の方向識別区域５６には逆方向に再生する機能を具有する。更に該タッチコントロール入力モジュール１には該外側面１１１に放映指定区域ブロック５０２が区画されており、該放映指定区域ブロック５０２の範囲には該方向識別区域５６が含まれ、且つ映像の早送りや巻き戻しの機能が設定される。
上述したように、使用者が指で該放映指定区域ブロック５０２に触れると同時に、約一秒以内に時計回りの方向に回転させることで、該感知層１２と該座標演算ユニット１３により感知と演算処理が行われた後、該エンコーダ１４が該時計回りで該方向識別区域５６に対応した座標インフォメーションを受信し、こうして該エンコーダ１４は早送りの入力シグナルを生じ、該ホスト６にまでこれを伝送し、上述の早送り機能を執行する。
同様にして、使用者が指で該放映指定区域ブロック５０２に触れると同時に、約一秒以内に時計と逆周りの方向に回転させること、すなわち、指で円を描くよう触れると、該感知層１２と該座標演算ユニット１３により感知と演算処理が行われ、該エンコーダ１４が該時計と逆周りの座標インフォメーションを受信した後、該エンコーダ１４は巻き戻しの入力シグナルを発生すると同時にこれを該ホスト６に伝送し、巻き戻しの機能を執行する。
【００１９】
図３に示すように、本発明のタッチコントロール入力モジュール１の第二実施例では、ハンドサイズの電子設備２を掌サイズのパソコンとしており、この種の掌サイズのパソコンとは通常の機能が設けられている他、特定の任務に対して使用されるものであり、例えば警察が車両のプレートナンバーや個人の身分証番号を調べるのに利用される、或いは運送業者が荷物の管理等に利用すると言った、いわば携帯型のパソコンであり、体積が小さいながら使い道が広く、長時間に渡って大量のデータの入力を行うといった目的を果たすためには、本発明のタッチコントロール入力モジュール１を応用するのに相応しい。
この第二実施例においても、上述の第一実施例同様に、該ハンドサイズの電子設備２には、同様にしてケース３を具有し、該ケース３上にはタッチコントロール入力モジュール１を設け、該ケース３上にはディスプレイ４を設ける。また該ケース３には空洞区域３０を設けておく。
本実施例においても、該タッチコントロール入力モジュール１は第一実施例とほとんど構造が同じであるが、該識別区域５を更に複雑化する。具体的には複数の符号５１をそれぞれ異なるアラビア数字５１５を設けることで数字識別区域５５とし、機能符号５１７を設けることにより機能識別区域５７を形成する点では上述の第一実施例と変わらないが、該識別区域５のスクロール指定区域ブロック５０１を二つ設け、一つは垂直方向にスクロールするもの、もう一つを水平方向にスクロールするものとして設定する。こうすることで使用者が該スクロール指定区域ブロック５０１のうちの一つに触れ、垂直方向にスクロールさせることにより、該感知層１２（図２参照）と該座標演算ユニット13（図２参照）の感知と演算処理を経て、該エンコーダ１４が受信する該座標インフォメーションがそれぞれ該スクロール指定区域ブロック５０１に対応した垂直方向であるとき、該エンコーダ１４は該スクロール指定区域ブロック５０１に対応して入力シグナルを発生するが、該入力シグナルとは即ち該使用者の選択した水平或いは垂直の何れかのスクロール指定区域ブロック５０１に対応したスクロールシグナルである。
【図面の簡単な説明】
【００２０】
【図１】本発明の第一実施例における外観平面図である。
【図２】本発明の第一実施例におけるタッチコントロール入力モジュールの構造説明図である。
【図３】本発明の第二実施例における外観平面図である。
【符号の説明】
【００２１】
１  タッチコントロール入力モジュール
１１  保護層  
１１１  外側面
１１２  内側面
１２  感知層
１３  座標演算ユニット
１４  エンコーダ
１５  モード制御ユニット
２  ハンドサイズの電子設備
３  ケース  
３０  空洞区域
３１  円弧面
４  ディスプレイ
５  識別区域
５０  指定区域ブロック
５０１  スクロール指定区域ブロック
５０２  放映指定区域ブロック
５１  符号
５１５  数字
５１６  矢印
５１７  機能
５５  数字識別区域  
５６  方向識別区域
５７  機能識別区域  
６  ホスト
【図１】
2005196605.tif 000003
【図２】
2005196605.tif 000004
【図３】
2005196605.tif 000005